(57)【要約】【課題】  簡単に且つ安定した状態で仕切り部材を設置でき、浴槽の長手方向の浴室空間の全長を仕切ることなく、部分的に仕切ることができ、また保管や取り扱いが容易になるようにする。【解決手段】  浴槽１側と洗い場２側の境に設ける浴室用パーテーションであり、浴槽１の洗い場２側のフランジ上面１ａに、起立状態で上下方向に積み重ねる略四角形の板状の仕切り部材３と、フランジ上面１ａが突き当たる壁面４に垂直に設けて仕切り部材３の側端３ａを嵌め込むホルダー部材５とで形成する。ホルダー部材５は、フランジ上面１ａの上方に略水平に配置される横桟５ｂを備える。この横桟５ｂとホルダー部材５とが作る鉤括弧形の枠部６に仕切り部材３を嵌合し、横桟５ｂを介して仕切り部材３を縦に積み重ねる。【選択図】      図１
2005192941.tif 000002
【特許請求の範囲】
【請求項１】
浴槽側と洗い場側の境に設けられる浴室用パーテーションであって、浴槽の洗い場側のフランジ上面に、起立状態で上下方向に積み重ねられる略四角形の板状の仕切り部材と、上記のフランジ上面が突き当たる壁面に垂直に設けられて上記の仕切り部材の側端が嵌め込まれるホルダー部材とで形成され、上記のホルダー部材がフランジ上面の上方に略水平に配置される横桟を備え、この横桟とホルダー部材とが作る鉤括弧形の枠部に仕切り部材が嵌合され、横桟を介して仕切り部材が縦に積み重ねられることを特徴とする浴室用パーテーション。
【請求項２】
請求項１記載の浴室用パーテーションであって、ホルダー部材が、断面コの字形の嵌合用の溝を有して形成されると共に、この溝のスリット状の開口を浴室内に向けて設けられ、横桟が、ホルダー部材に横軸を中心に上下回動自在に、且つ上記の開口を介して溝に格納自在に設けられていることを特徴とする浴室用パーテーション。
【請求項３】
請求項２記載の浴室用パーテーションであって、横軸が板状に形成され、この横軸が通される横桟の孔に、横桟を水平に回動させたとき横軸の板面に嵌合して横桟を静止させる凹部が形成され、上記の孔がダルマ形に形成されていることを特徴とする浴室用パーテーション。
【請求項４】
請求項１乃至３の何れかに記載の浴室用パーテーションであって、横桟が水平に配置されたとき上下方向に微調整自在に形成されていることを特徴とする浴室用パーテーション。
【請求項５】
請求項１乃至４の何れかに記載の浴室用パーテーションであって、仕切り部材が、透視可能に形成されると共に、浴槽の蓋であることを特徴とする浴室用パーテーション。
【発明の詳細な説明】
【技術分野】
【０００１】
本発明は浴室用パーテーションに関し、更に詳しくは浴槽側と洗い場側の境に設け、例えばシャワーの飛散を防止できるよう形成した浴室用パーテーションに関するものである。
【背景技術】
【０００２】
従来この種のパーテーションとしては、浴室の浴槽短辺に接する両壁面に水飛散防止部材の取付部材を設け、この取付部材間に水飛散防止部材を架け渡すよう形成しているものがある（例えば特許文献１参照）。
また従来、浴槽側と洗い場側の境の上方にレールを横架し、このレールに防水カーテンを吊るし、このカーテンでシャワーの飛散を防止することも、一般的に行なわれている。
【特許文献１】特開２００２−１７５９７号公報
【発明の開示】
【発明が解決しようとする課題】
【０００３】
ところで従来品は、上記の通り、浴室の対向する壁面に取付部材を夫々設け、この取付部材に水飛散防止部材を架け渡す構造であったから、これによると水飛散防止部材を取り付けるとき、入浴者は先ず一方の取付部材に水飛散防止部材の一方側を挿し嵌め、次に他方の取付部材の位置まで移動して水飛散防止部材の他方側を取り付ける必要があった。従って従来品によると、仕切り作業が不便で使い勝手が悪かっただけではなく、従来品はこのように浴槽の長手方向の浴室空間の全長を仕切る構造であったから、一旦、水飛散防止部材を取り付けると、浴槽への出入りがしにくくなる、という問題点があった。
【０００４】
また浴槽側と洗い場側をカーテンで仕切る場合は、不使用時にもカーテンが垂らされ、カーテンが、常時、浴室内に露出して配置されるものであったから、浴室内が雑然化し易かった。またカーテンによる場合は、浴槽に出入りするときやシャワーを浴びるとき、カーテンに身体が触れたり、カーテンが身体にまとわり付き易かったから、快適に入浴できない、という問題点があった。
従ってこの種のパーテーションは、入浴の快適性を阻害することがないよう、シャワーを使用するときだけ、簡単、迅速にセットでき、保管や取り扱いも容易になるよう形成されているのが望ましい。しかし取り扱いの容易性等のため、仕切り部材を複数に形成し、例えば上側と下側に分けると、下側の仕切り部材は浴槽のフランジ上面と浴室壁面である程度安定的に取り付けできても、上側の仕切り部材が不安定化するのを避けられない。
【０００５】
本発明は、このような従来技術の問題点に鑑み、提案されたものである。
従って本発明の解決しようとする技術的課題は、簡単に且つ安定した状態で仕切り部材を設置でき、浴槽の長手方向の浴室空間の全長を仕切ることなく、例えばシャワーが一番飛散する範囲だけ、部分的に仕切ることができ、また保管や取り扱いが容易になるよう形成した浴室用パーテーションを提供することにある。
【課題を解決するための手段】
【０００６】
本発明は、上記の課題を解決するため、次のような技術的手段を採る。
即ち本発明は、図１等に示されるように、浴槽１側と洗い場２側の境に設けられる浴室用パーテーションであって、浴槽１の洗い場２側のフランジ上面１ａに、起立状態で上下方向に積み重ねられる略四角形の板状の仕切り部材３と、上記のフランジ上面１ａが突き当たる壁面４に垂直に設けられて上記の仕切り部材３の側端３ａが嵌め込まれるホルダー部材５とで形成され、上記のホルダー部材５がフランジ上面１ａの上方に略水平に配置される横桟５ｂを備え、この横桟５ｂとホルダー部材５とが作る鉤括弧形の枠部６に仕切り部材３が嵌合され、横桟５ｂを介して仕切り部材３が縦に積み重ねられることを特徴とする（請求項１）。
【０００７】
本発明の場合、仕切り部材３の枚数は、横桟５ｂの個数に合わせて決定される。即ち横桟５ｂが１本の場合は、仕切り部材３は上側と下側の２枚であり、横桟５ｂが２本の場合は、上、中、下の計３枚になる。従ってここで、鉤括弧形とは、」の形や、］の形を意味する。本発明は、仕切り部材３の枚数を増やしても横桟５ｂによって安定した姿勢で積み重ねることができるから、高さを高くでき、また仕切り部材３の枚数を増減することで高さを自由に変更することができる。而して仕切り部材３の大きさは、同一には限定されず、上側、下側で違えられるのでも良い。また本発明の場合、仕切り部材３の嵌合は、例えば図３に示されるように、通常、ホルダー部材５を断面コの字形、横桟５ｂを断面Ｈ字形に形成することで実現されるが、これに限定されるものではない。即ち嵌合構造は、仕切り部材３やホルダー部材５等の嵌合面に、突条や凹溝等の凹凸を形成することで実現されるのでも良い。なおここで、略四角形とは、完全な長方形や正方形には限られず、仕切り部材３は、例えば将棋の駒の形や、或いは周辺に多少の凹凸形や波形等が形成されたり、また角部が丸くとられているのでも良い、ということを意味する。またここで、略水平とは、横桟５ｂを、開放端５ｂ１（図４等参照）を上にしてホルダー部材５に格納する場合は、下方に回動させたとき水平位置より幾分下側の位置でも良い、ということを意味する。
【０００８】
而して本発明の場合は、ホルダー部材５が、断面コの字形の嵌合用の溝５ａを有して形成されると共に、この溝５ａのスリット状の開口５ａ１を浴室内に向けて設けられ、横桟５ｂが、ホルダー部材５に横軸７を中心に上下回動自在に、且つ上記の開口５ａ１を介して溝５ａに格納自在に設けられているのが好ましい（請求項２）。
【０００９】
なぜならこれによると、横桟５ｂをホルダー部材５に格納できるから、横桟５ｂが、常時、浴室内に突き出されることを防止でき、また横桟５ｂの配置を簡単、迅速にでき、仕切り部材３の取り付け、取り外し操作を簡単化、迅速化できるからである。またこれによると、横桟５ｂを水平より少し上に配置した状態で下側の仕切り部材３をセットでき、浴槽１のフランジ上面１ａをスライドさせて傷付けることなく下側の仕切り部材３を設置できるからである。
なおこの本発明の場合は、横桟５ｂを垂らして格納する場合には限られず、横桟５ｂの開放端５ｂ１（図４等参照）を上にして格納するのでも良い。開放端５ｂ１を上にして格納する場合は、格納した横桟５ｂが不用意に浴室側に倒れることを防止するため、ホルダー部材５の上端に開放端５ｂ１を一時的に止め付けるための、例えば金具やワイヤー、或いは嵌着用の凹凸部等のストッパー手段が形成されるのが好ましい。
【００１０】
また請求項２記載の本発明は、図７等に示されるように、横軸７が板状に形成され、この横軸７が通される横桟５ｂの孔９に、横桟５ｂを水平に回動させたとき横軸７の板面７ａに嵌合して横桟５ｂを静止させる凹部９ａが形成され、上記の孔９がダルマ形に形成されているのが好ましい（請求項３）。
【００１１】
なぜならこれによると、横桟５ｂを水平に保持でき、仕切り部材３の取り付け操作の際、横桟５ｂを手で支えることなく楽に設置できるからである。またこれによると、横桟５ｂとホルダー部材５との連結状態がしっかりし、設置後の耐衝撃性、耐振動性が良くなるからである。本発明の場合、横軸７は、同図に示されるように、板面７ａが側方に向けられ、縦向きに配置される場合には限られず、例えば板面７ａが上下方向に向けられ、横向きに配置されるのでも良い。この場合は、横桟５ｂを水平位置に回動させた後、横桟５ｂをその長手方向に沿って引いたり、或いは押すことにより、凹部９ａを横軸７に嵌合させ、水平に静止させるものである。
【００１２】
また請求項１乃至３の何れかに記載の本発明は、横桟５ｂが水平に配置されたとき上下方向に微調整自在に形成されているのが好ましい（請求項４）。
【００１３】
なぜならこれによると、横桟５ｂを水平状態で、その高さを微調整できるため、下側の仕切り部材３の上端に横桟５ｂをぴったり嵌合させることができ、横桟５ｂと仕切り部材３を確実に一体化できるからである。ホルダー部材５に枢着されている横桟５ｂの場合は、具体的には例えば図９に示されるように、上記の凹部９ａの長さを長くしたり、或いは図１０等に示されるように、横軸７は丸棒のまま、横軸７が通される横桟５ｂの孔９を、横桟５ｂを水平に配置したとき縦長になるよう、横桟５ｂの長手方向と直交する方向に長孔状に形成することで実現される。
【００１４】
また請求項１乃至４の何れかに記載の本発明は、仕切り部材３が、透視可能に形成されると共に、浴槽１の蓋であるのが好ましい（請求項５）。
【００１５】
なぜならこれによると、仕切り部材３が透視可能であるから、入浴者に圧迫感を与えず、浴槽１のフランジ上面１ａを蓋の置き場所として利用でき、また蓋を仕切り部材３として有効利用するため、本発明品を安価に提供できるからである。ここで、透視可能とは、浴槽１側、洗い場２側の双方から透かして見ることができることを意味し、具体的には仕切り部材３を透明、或いは半透明に形成することで実現される。
【発明の効果】
【００１６】
本発明は、このように仕切り部材とホルダー部材とで形成され、仕切り部材を浴槽のフランジ上面に横桟を介して上下方向に起立状に設置するよう形成しているものである。
従って本発明の場合は、簡単に且つ安定した状態で堅固に仕切り部材を設置でき、また浴槽の長手方向の浴室空間の全長を仕切ることなく、例えばシャワーが一番飛散する範囲だけを仕切ることができるから、仕切り部材を設置しても浴槽に出入りできる。またこれによると、仕切り部材が分割されているから、保管や取り扱いが容易になり、使い勝手が良い、という利点がある。
【発明を実施するための最良の形態】
【００１７】
以下、本発明を実施するための最良の形態を、添付図面に従って説明する。
本発明は、図１に示されるように、浴槽１側と洗い場２側の境に設けられるものである。１ａは、浴槽１の洗い場２側のフランジ上面である。本発明は、このフランジ上面１ａに起立状態で上下方向に積み重ねられる略四角形の板状の仕切り部材３と、フランジ上面１ａが突き当たる壁面４に垂直に設けられて仕切り部材３の側端３ａが嵌め込まれるホルダー部材５とで形成されている。
【００１８】
上記の仕切り部材３は、この実施形態では同じ大きさの２枚の長方形の透明板で構成されている。また上記のホルダー部材５は、例えば金属板が断面コの字形に折り曲げられ、側端３ａを嵌合させる溝５ａを有して形成されている。またこのホルダー部材５は、溝５ａのスリット状の開口５ａ１を浴室内に向けて壁面４にネジ等で設けられ、フランジ上面１ａの上方に水平に配置される横桟５ｂを備えて形成されている。仕切り部材３は、横桟５ｂとホルダー部材５とが作る鉤括弧形の枠部６に嵌合され、横桟５ｂを介して縦に積み重ねられるものである。
【００１９】
上記の横桟５ｂは、この実施形態ではホルダー部材５の中程に、断面円形の丸棒状の横軸７を中心に上下回動自在に設けられている。またこの横桟５ｂは、断面Ｈ字形に形成され、その外寸Ｓ１（図３Ａ参照）は、ホルダー部材５の外寸Ｓ２（同図Ｂ参照）より小さく形成され、横軸７との枢着箇所から垂らされた状態で上記の開口５ａ１を介して溝５ａに格納自在に形成されている。なお横桟５ｂは、図４、図５に示されるように、格納時に開放端５ｂ１がホルダー部材５の下端より下方に突き出され、開放端５ｂ１の付近を持って回動操作を行うことができるよう形成されている。
【００２０】
次にこの実施形態に係る本発明品の使用例を説明する。
先ず入浴者は、横桟５ｂを上方に回動し（図４等参照）、水平状態より幾分高い位置に横桟５ｂを配置する。次にこの状態で下側の仕切り部材３を浴槽１のフランジ上面１ａに載せ、その側端３ａをホルダー部材５の溝５ａに挿し嵌める。その後、入浴者は、横桟５ｂを下に回動させて仕切り部材３の上端に、横桟５ｂの下側の溝５ｂ２（図３Ａ、図４等参照）を嵌合させる。これにより下側の仕切り部材３が、下側の鉤括弧形の枠部６に嵌合される。
【００２１】
次に入浴者は、上側の仕切り部材３の下端を横桟５ｂの上側の溝５ｂ３（図３Ａ、図４等参照）に、またその側端３ａをホルダー部材５の溝５ａに挿し嵌める。これにより上側の仕切り部材３が、上側の鉤括弧形の枠部６に嵌合され、上下の仕切り部材３が横桟５ｂを介して起立状に積み重ねられ、浴槽１側と洗い場２側が仕切られる。従ってシャワー装置のノズル８（図１参照）から出る湯水は、上下の仕切り部材３によって飛散が防止される。なお本発明品を片付けるときは、先ず上側の仕切り部材３を鉤括弧形の枠部６から抜き取って取り外し、次に横桟５ｂを少し持ち上げて下側の仕切り部材３を取り外し、横桟５ｂを下方に回動してホルダー部材５に格納して行なう。
【００２２】
以上の処において、上例では横桟５ｂが横軸７を中心に上下回動するよう形成されているが、本発明はこれに限定されるものではなく、横桟５ｂがホルダー部材５に、例えばネジや嵌合構造により着脱自在に取り付けられているのでも良い。
また本発明の場合、横桟５ｂは、水平または略水平状に保持可能に形成されているのでも良い。これによると、例えば横桟５ｂを垂らしてホルダー部材５に格納するときは横桟５ｂを手で支えることなく仕切り部材３を設置でき、また下側の仕切り部材３が何らかの拍子に外れても上側の仕切り部材３の脱落を防止でき、更には横桟５ｂがホルダー部材５に固定されるため、仕切り部材３の安定性が高くなり、耐衝撃性や耐振動性が良くなるからである。
具体的には、図７、図８に示されるように、横軸７を板状に形成し、この横軸７を通す横桟５ｂの孔９に、横桟５ｂを水平に回動させたとき横軸７の板面７ａに嵌合して横桟５ｂを静止させる凹部９ａを形成し、上記の孔９をダルマ形に形成することで実現される。この本発明の場合、横軸７は、板面７ａが側方に向けられて縦長に配置されている。従ってこの例では、横桟５ｂを９０度回動させて水平に配置すると、ダルマ形の孔９の凹部９ａが上になり、この凹部９ａが横軸７に上から嵌合することにより、横桟５ｂが水平に静止する。
また横桟５ｂが開放端５ｂ１を上にしてホルダー部材５に格納されるときは、例えば横軸７の付近のホルダー部材５の背面に、横桟５ｂを水平位置より幾分下方に回動配置させたとき（水平位置より下方に５°程度）、その基端の上面が係止するストッパー片を浴室側に突出状に形成することで実現される。この場合は、横桟５ｂが、横軸７を中心に垂直線より下方に９５°程度の、略水平の位置に静止する。
【００２３】
また本発明の場合、横桟５ｂは、水平に配置されたとき上下方向に微調整自在に形成されているのでも良い。具体的には、図９に示されるように、ダルマ形の孔９の凹部９ａの長さを長くし、横桟５ｂを水平位置に配置したとき、孔９のあき間隔Ｄを利用することで上下方向に微調整自在に形成したり、或いは図１０、図１１に示されるように、横軸７は丸棒状のまま、横軸７が通される横桟５ｂの孔９を、横桟５ｂを水平に配置したときに縦長になるよう、横桟５ｂの長手方向と直交する方向に長孔状に形成することで実現される。この本発明の場合は、上例と同様に横桟５ｂを上方に回動させた後、下側の仕切り部材３をホルダー部材５の溝５ａに挿し嵌め、次に横桟５ｂを水平状態で押し下げ、下側の仕切り部材３の上端に、横桟５ｂの下側の溝５ｂ２をぴったり嵌め付けて使用するものである。
【図面の簡単な説明】
【００２４】
【図１】本発明のパーテーションの好適な一実施形態を示す使用状態時の斜視図である。
【図２】同上のパーテーションの使用状態時の側面図である。
【図３】Ａは図２のＡ−Ａ線の断面図、Ｂは図２のＢ−Ｂ線の断面図である。
【図４】ホルダー部材の斜視図である。
【図５】ホルダー部材の取り付け状態の側面図である。
【図６】ホルダー部材の要部断面図である。
【図７】同上のパーテーションの他の実施形態を示す要部断面図である。
【図８】図７の実施形態の作用を説明するための要部断面図である。
【図９】同上のパーテーションの他の実施形態を示し、Ａは横桟が格納時の要部断面図、Ｂは横桟が水平に保持されたときの要部断面図である。
【図１０】同上のパーテーションの更に他の実施形態を示す要部断面図である。
【図１１】図１０の実施形態の作用を説明するための要部断面図である。
【符号の説明】
【００２５】
１    浴槽
１ａ  フランジ上面
２    洗い場
３    仕切り部材
３ａ  側端
４    壁面
５    ホルダー部材
５ｂ  横桟
６    鉤括弧形の枠部
【図１】
2005192941.tif 000003
【図２】
2005192941.tif 000004
【図３】
2005192941.tif 000005
【図４】
2005192941.tif 000006
【図５】
2005192941.tif 000007
【図６】
2005192941.tif 000008
【図７】
2005192941.tif 000009
【図８】
2005192941.tif 000010
【図９】
2005192941.tif 000011
【図１０】
2005192941.tif 000012
【図１１】
2005192941.tif 000013